(57)【要約】【課題】  容易に操作できる眼科装置、および眼科装置制御プログラムを提供することを技術課題とする。【解決手段】  被検眼を検査する眼科装置であって、前記被検眼の観察画像が主画面として表示される検査画面を表示させる前に、ホーム画面を表示手段に表示させる制御手段を備え、前記制御手段は、前記被検眼の検査が終了する度に前記ホーム画面を前記表示手段に表示させることを特徴とする。これによって、眼科装置を容易に操作できる。【選択図】図７
2020199227.tif 000002
【特許請求の範囲】
【請求項１】
被検眼を検査する眼科装置であって、
前記被検眼の観察画像が主画面として表示される検査画面を表示させる前に、ホーム画面を表示手段に表示させる制御手段を備え、
前記制御手段は、前記被検眼の検査が終了する度に前記ホーム画面を前記表示手段に表示させることを特徴とする眼科装置。
【請求項２】
前記制御手段は、言語選択ボタンを前記ホーム画面に表示させることを特徴とする請求項１の眼科装置。
【請求項３】
前記制御手段は、検査モードを選択するためのモード選択ボタンを前記ホーム画面に表示させることを特徴とする請求項１または２の眼科装置。
【請求項４】
前記制御手段は、検査手順のイメージ図を前記ホーム画面に表示させることを特徴とする請求項１〜３のいずれかの眼科装置。
【請求項５】
前記制御手段は、検査の注意事項を前記ホーム画面に表示させることを特徴とする請求項１〜４のいずれかの眼科装置。
【請求項６】
被検眼を検査する眼科装置において実行される眼科装置制御プログラムであって、前記眼科装置のプロセッサによって実行されることで、
前記被検眼の観察画像が主画面として表示される検査画面を表示させる前に、ホーム画面を表示手段に表示させる第１表示ステップと、
前記被検眼の検査が終了する度に前記ホーム画面を前記表示手段に表示させる第２表示ステップと、
を前記眼科装置に実行させることを特徴とする眼科装置制御プログラム。
【発明の詳細な説明】
【技術分野】
【０００１】
本開示は、被検眼を検査する眼科装置、および眼科装置制御プログラムに関する。
【背景技術】
【０００２】
従来の眼科装置としては、例えば、眼屈折力測定装置、角膜曲率測定装置、眼圧測定装置、眼底カメラ、ＯＣＴ（optical coherence tomography）、ＳＬＯ（scanning laser ophthalmoscope）等が知られている。
【先行技術文献】
【特許文献】
【０００３】
【特許文献１】特開２０１３−０６６７６０号公報
【発明の概要】
【発明が解決しようとする課題】
【０００４】
ところで、従来において、集団検診などで多くの被検者を測定する場合、被検者に応じて装置の設定を変更することがあり、この操作は検者にとって手間であった。また、被検者自身で操作を行うことも難しかった。
【０００５】
本開示は、従来技術の問題点に鑑み、容易に操作できる眼科装置、および眼科装置制御プログラムを提供することを技術課題とする。
【課題を解決するための手段】
【０００６】
上記課題を解決するために、本開示は以下のような構成を備えることを特徴とする。
【０００７】
（１）  被検眼を検査する眼科装置であって、前記被検眼の観察画像が主画面として表示される検査画面を表示させる前に、ホーム画面を表示手段に表示させる制御手段を備え、前記制御手段は、前記被検眼の検査が終了する度に前記ホーム画面を前記表示手段に表示させることを特徴とする。
（２）  被検眼を検査する眼科装置において実行される眼科装置制御プログラムであって、前記眼科装置のプロセッサによって実行されることで、前記被検眼の観察画像が主画面として表示される検査画面を表示させる前に、ホーム画面を表示手段に表示させる第１表示ステップと、前記被検眼の検査が終了する度に前記ホーム画面を前記表示手段に表示させる第２表示ステップと、を前記眼科装置に実行させることを特徴とする。
【発明の効果】
【０００８】
本開示によれば、眼科装置を容易に操作できる。
【図面の簡単な説明】
【０００９】
【図１】眼科装置の外観を示す図である。
【図２】眼科装置の内部構成を示す図である。
【図３】制御系の構成を示す図である。
【図４】アナウンス内容を示す図である。
【図５】アナウンスパターンの設定画面を示す図である。
【図６】測定画面の一例を示す図である。
【図７】ホーム画面の一例を示す図である。
【図８】言語選択ボタンを押したときのホーム画面を示す図である。
【図９】言語選択後のホーム画面を示す図である。
【図１０】制御動作を示すフローチャートである。
【図１１】ホーム画面の変容例を示す図である。
【図１２】ホーム画面の変容例を示す図である。
【図１３】ホーム画面の変容例を示す図である。
【発明を実施するための形態】
【００１０】
＜第１実施形態＞
本開示に係る第１実施形態について説明する。第１実施形態の眼科装置（例えば、眼科装置１）は、例えば、被検者の眼を検査（測定または撮影）する。眼科装置は、例えば、アナウンス部（例えば、アナウンス部８９）と、制御部（例えば、制御部８０）を備える。アナウンス部は、例えば、被検者または検者にアナウンスを行う。制御部は、例えば、アナウンス部を制御する。例えば、制御部は、検査開始から検査終了までの一連のアナウンスパターンを、第１パターンと、第２パターンとは異なる第２パターンとで切り替え可能である。これによって、第１実施形態の眼科装置は、被検者または検者に対して適正なアナウンスを行うことができる。もちろん、眼科装置は、２つのパターンだけでなく、３つ以上の複数のパターンからアナウンスパターンを切り替えてもよい。
【００１１】
なお、第１パターンと第２パターンとは、アナウンス内容が異なっていてもよい。例えば、第１パターンと第２パターンとで、アナウンス項目が異なっていてもよいし、アナウンス回数が異なっていてもよいし、アナウンスに要する時間が異なっていてもよい。例えば、第１パターンは丁寧なアナウンスであり、第２パターンは簡潔なアナウンスなどであってもよい。
【００１２】
例えば、第１パターンと第２パターンとは、選択言語を知らせるためのアナウンスの有無、検査を中断する旨のアナウンスの有無、検査を再開する旨のアナウンスの有無、固視を促すアナウンスの有無、検眼部（例えば、測定部１００）から風が出る旨のアナウンスの有無、検眼部から光が照射される旨のアナウンスの有無などのいずれかが異なっていてもよい。
【００１３】
なお、制御部は、自動的に選択したアナウンスパターンに切り替えてもよいし、検者などによって選択されたアナウンスパターンに切り替えてもよい。
【００１４】
なお、アナウンス部は、スピーカなどの音声出力部であってもよいし、アナウンス内容を表示させる表示部であってもよい。
【００１５】
なお、制御部は、複数のアナウンス項目のオン・オフをそれぞれ設定してもよい。例えば、制御部は、最低２つのアナウンス項目のオン・オフを設定可能とすることで、少なくとも３つのパターンでアナウンスを切り替えてもよい。なお、制御部は、オフに設定したアナウンス内容を表示部などに表示してもよい。
【００１６】
なお、制御部は、予め各アナウンス項目のオン・オフが設定されたアナウンスパターンを記憶部（例えば、記憶部８４）等から読み出して、アナウンスを実行してもよい。例えば、記憶部は、被検者自身が検査できるアナウンスパターン、検者の補助を必要とするアナウンスパターンなどを記憶しており、制御部はこれらのアナウンスパターンの中からアナウンスを実行してもよい。
【００１７】
なお、制御部は、記憶部などに記憶された眼科装置制御プログラムを実行してもよい。例えば、眼科装置制御プログラムは、アナウンスステップと、切替ステップとを含む。アナウンスステップは、被検者または検者にアナウンスを行うステップである。切替ステップは、検査開始から検査終了までの一連のアナウンスパターンを、第１パターンと第２パターンとで切り替えるステップである。
【００１８】
＜第２実施形態＞
本開示に係る第２実施形態について説明する。第２実施形態の眼科装置（例えば、眼科装置１）は、例えば、被検者の眼を検査（測定または撮影）する。眼科装置は、例えば、制御部（例えば、制御部８０）を備える。制御部は、例えば、検査画面（例えば、測定画面３００）を表示させる前に、ホーム画面（例えば、ホーム画面４１０）を表示部（例えば、表示部８５）に表示させる。ホーム画面は、例えば、検者または被検者の操作などを待ち受ける待ち受け画面であってもよい。検査画面は、例えば、被検眼の観察画像（例えば、観察画像３０１）が主画面（主に表示される画面）として表示される。また、制御部は、被検眼の検査が終了する度にホーム画面を表示部に表示させてもよい。これによって、第２実施形態の眼科装置は、容易に装置の操作を行うことができる。
【００１９】
なお、制御部は、言語選択ボタン（例えば、言語選択ボタン４１４）をホーム画面に表示させてもよい。言語選択ボタンは、例えば、眼科装置に用いられる言語を選択するためのボタンである。例えば、音声アナウンスの言語、表示部の表示言語などであってもよい。これによって、被検者または検者はホーム画面から容易に眼科装置に用いられる言語を選択することができる。つまり、容易に装置の設定を行うことができる。
【００２０】
なお、制御部は、モード選択ボタン（例えば、モード選択ボタン４１２）をホーム画面に表示させてもよい。モード選択ボタンは、例えば、検査モードを選択するためのボタンである。これによって、被検者または検者は、ホーム画面から容易に検査モードを選択することができる。
【００２１】
なお、制御部は、検査手順のイメージ図（例えば、イメージ図４２０，４２２，４２３）、または検査の注意事項（例えば、注意事項４２１，４２４）などをホーム画面に表示させてもよい。これによって、被検者または検者は、検査手順、注意事項などを検査の前に確認することができる。
【００２２】
なお、各種ボタンは、ウィジェットであってもよい。例えば、ウィジェットは、GUIのインタフェース部品（UIパーツ）の総称であり、コントロールとも称する。例えば、ウィジェットは、アイコン、スライダー、チェックボックス、テキストボックスなどであってもよい。
【００２３】
なお、制御部は、記憶部（例えば、記憶部８４）などに記憶された眼科装置制御プログラムを実行してもよい。眼科装置制御プログラムは、例えば、第１表示ステップと、第２表示ステップを含む。第１表示ステップは、例えば、被検眼の観察画像が表示される検査画面を表示させる前に、ホーム画面を表示部に表示させるステップである。第２表示ステップは、例えば、被検眼の検査が終了する度にホーム画面を表示部に表示させるステップである。
【００２４】
＜実施例＞
本開示に係る眼科装置を図面に基づいて説明する。なお、以下の説明では、眼科装置として眼圧測定装置を例に説明するが、眼屈折力測定装置、角膜曲率測定装置、角膜形状測定装置、眼軸長測定装置、眼底カメラ、ＯＣＴ、またはＳＬＯ等の他の眼科装置にも適用可能である。
【００２５】
本実施例の眼科装置は、例えば、被検眼の眼圧を非接触にて測定する。例えば、本実施例の眼科装置は、片眼毎に測定を行ってもよいし、両眼同時に測定を行ってもよい。また、眼科装置は、左右の被検眼のうち、どちらか一方のみの測定を行ってもよい。
【００２６】
＜外観＞
図１に基づいて、眼科装置１の外観を説明する。図１に示すように、本実施例の眼科装置１は、測定部１００と、アナウンス部８９を備える。測定部１００は、被検眼を検査する。アナウンス部８９は、被検者または検者に対してアナウンスを行う。本実施例のアナウンス部８９は、スピーカなどの音声出力部である。もちろん、アナウンス部８９は、モニタなどの表示部であってもよい。
【００２７】
本実施例の眼科装置１は、さらに基台２、顔支持部３、駆動部４、表示部８５、顔撮影部９０等を備えてもよい。基台２は、測定部１００を移動可能に支持する。顔支持部３は、被検者の顔を支持する。顔支持部は、額当て３ａ、顎台３ｂ、顎台センサ３ｃ、顎台駆動部３ｄなどを備える。顎台センサ３ｃは、顎台３ｂに顎が載せられているかを検知する。顎台駆動部３ｄは、顎台３ｂを上下に移動させて高さを調整する。駆動部４は、測定部１００を基台２に対してＸＹＺ方向（３次元方向）に移動させる。表示部８５は、例えば、被検眼の観察画像および測定結果等を表示させる。表示部８５は、例えば、装置１と一体的に設けられてもよいし、装置とは別に設けられてもよい。表示部８５は、表示画面が、被検者だけでなく被検者側に向くように配置可能であってもよい。なお、表示部８５は、操作部８６として用いられてもよい。この場合、表示部８５は、装置１の各種設定、測定開始時の操作に用いられる。表示部８５には、検者または被検者による各種操作指示が入力される。なお操作部８として、ジョイスティック、マウス、キーボード、トラックボール、ボタン等の各種ヒューマンインターフェイスが用いられてもよい。顔撮影部９０は、例えば、被検眼の顔を撮影する。顔撮影部９０は、例えば、左右の被検眼のうち少なくとも一方を含む顔を撮影する。
【００２８】
＜測定部＞
測定部１００は、被検眼の検査（測定または撮影など）を行う。測定部１００は、例えば、被検眼の眼圧を測定する光学系を備える。もちろん、測定部１００は、眼屈折力、角膜形状等を測定する光学系を備えてもよい。また、測定部１００は、被検眼の前眼部、眼底等を撮影するための光学系等を備えてもよい。
【００２９】
＜流体噴出部＞
図２に示すように、流体噴出部２００は、例えば、シリンダ２０１、ピストン２０２、ソレノイドアクチュエータ（以下、ソレノイドともいう）２０３、ノズル２０６を備える。シリンダ２０１とピストン２０２は、被検眼に噴出する空気を圧縮する空気圧縮機構として用いられる。シリンダ２０１は、例えば、円筒状である。ピストン２０２は、シリンダ２０１の軸方向に沿って摺動する。ピストン２０２は、シリンダ２０１内の空気圧縮室２３４の空気を圧縮する。本実施例のソレノイド２０３は、いわゆる直動ソレノイドであり、直線的に作動する。
【００３０】
ピストン２０２の移動によりシリンダ２０１内の空気圧縮室２３４で圧縮された空気は、シリンダ２０１の先端に連結されるチューブ（パイプでもよい）２２０、圧縮された空気を収容する気密室２２１を介して、ノズル２０６から被検眼Ｅの角膜に向けて噴出される。なお、例えば、シリンダ２０１は水平面（ＸＺ面）に対して平行に配置されており、ソレノイド２０３の駆動によってピストン２０２がシリンダ２０１内で水平に移動されることにより空気の圧縮が行われてもよい。例えば、シリンダ２０１はその長手方向が水平方向と平行に配置され、シリンダ２０１の内面はピストン２０２をガイドする。このため、ピストン２０２の移動方向（圧縮方向）は、水平方向となる。なお、上記各構成部材は、装置本体の筐体内に設けられたステージ上にそれぞれ配置されている（図示省略）。
【００３１】
流体噴出部２００は、例えば、ガラス板２０８と、ガラス板２０９を備えてもよい。ガラス板２０８は、透明であり、ノズル２０６を保持するとともに、観察光やアライメント光を透過させる。ガラス板２０９は、気密室２２１の後壁を構成するとともに、観察光やアライメント光を透過させる。ガラス板２０９の背後には、観察・アライメント光学系がその観察光軸及びアライメント光軸と、ノズル２０６の軸線が同軸になるように配置されている。
【００３２】
なお、流体噴出部２００には、接触検知部２５０が設けられる。接触検知部２５０は、例えば、ノズルホルダー２０７が被検者と接触したことを検知する。接触検知部２５０は、例えば、接触センサ２５１を備える。接触センサ２５１は、例えば、電線２５２などによってノズルホルダー２０７と電気的に接続されている。
【００３３】
なお、流体噴出部２００は、例えば、圧力センサ２１２、エア抜き穴２１３を備えてもよい。圧力センサ２１２は、例えば、気密室２２１の圧力を検出する。エア抜き穴２１３は、例えば、ピストン２０２に初速が付くまでの間の抵抗が減少され、時間的に比例的な立ち上がりの圧力変化を得ることができる。
【００３４】
＜測定光学系＞
図３は、眼科装置１の測定光学系１０の概略図である。赤外照明光源３０により照明された被検眼像は、ビームスプリッタ３１、対物レンズ３２、ダイクロイックミラー３３、撮像レンズ３７、及びフィルタ３４を介してＣＣＤカメラ３５に結像する。すなわち、ビームスプリッタ３１〜ＣＣＤカメラ３５までの光学系は、撮像素子を持ち、被検眼前眼部を観察するための観察光学系として用いられる。この場合、光軸Ｌ１は観察光軸として用いられる。
【００３５】
フィルタ３４は、光源３０及びアライメント用の赤外光源４０の光を透過し、後述する角膜変形検出用の光源５０の光及び可視光に対して不透過の特性を持つ。ＣＣＤカメラ３５に結像した像は表示部８５に表示される。
【００３６】
光源４０から投影レンズ４１を介して投影された赤外光はビームスプリッタ３１により反射され、被検眼に正面より投影される。光源４０により角膜頂点に形成された角膜輝点は、ビームスプリッタ３１〜フィルタ３４を介してＣＣＤカメラ３５に結像し、上下左右方向のアライメント検出に利用される。すなわち、ビームスプリッタ３１〜ＣＣＤカメラ３５までの光学系は、撮像素子を持ち、被検眼に対する上下左右方向のアライメント状態を検出するための検出光学系として用いられる。この場合、光軸Ｌ１はアライメント光軸として用いられる。なお、本実施例では、検出光学系は、前眼部を観察するための観察光学系を兼用する。
【００３７】
固視光学系４８は、光軸Ｌ１を有し、眼Ｅに対して正面方向から固視標を呈示する。この場合、光軸Ｌ１は固視光軸として用いられる。固視光学系４８は、例えば、可視光源（固視灯）４５、投影レンズ４６、ダイクロイックミラー３３を有し、眼Ｅを正面方向に固視させるための光を眼Ｅに投影する。可視光源４５には、ＬＥＤ、レーザなどの光源が用いられる。また、可視光源４５には、例えば、点光源、スリット光源、リング光源などのパターン光源の他、液晶ディスプレイなどの二次元表示器が用いられる。
【００３８】
光源４５から発せられた可視光は、投影レンズ４６を通過し、ダイクロイックミラー３３で反射され、対物レンズ３２を通過した後、眼Ｅの眼底に投影される。これにより、眼Ｅは、正面方向の固視点を固視した状態となり、視線方向が固定される。なお、光源４５から発せられた可視光は投影レンズ４６及び対物レンズ３２を通過することで、平行光束に変換される。
【００３９】
角膜変形検出光学系は、投光光学系５００ａと、受光光学系５００ｂと、を含み、角膜Ｅｃの変形状態を検出するために用いられる。各光学系５００ａ、５００ｂは、測定部１００に配置され、駆動部４により３次元的に移動される。
【００４０】
投光光学系５００ａは、投光光軸として光軸Ｌ３を有し、眼Ｅの角膜Ｅｃに向けて斜め方向から照明光を照射する。投光光学系５００ａは、例えば、赤外光源５０、コリメータレンズ５１、ビームスプリッタ５２、を有する。受光光学系５００ｂは光検出器５７を有し、眼Ｅの角膜Ｅｃでの照明光の反射光を受光する。受光光学系５００ｂは、光軸Ｌ１に関して投光光学系５００ａと略対称的に配置されている。受光光学系５００ｂは、例えば、レンズ５３、ビームスプリッタ５５、ピンホール板５６、光検出器５７、を有し、受光光軸として光軸Ｌ２を形成する。
【００４１】
光源５０を出射した光はコリメータレンズ５１により略平行光束とされ、ビームスプリッタ５２で反射された後、後述する受光光学系７０ｂの光軸Ｌ３と同軸（一致）となり、被検眼の角膜Ｅｃに投光される。角膜Ｅｃで反射した光は後述する投光光学系７０ａの光軸Ｌ２と同軸（一致）となり、レンズ５３を通過した後、ビームスプリッタ５５で反射し、ピンホール板５６を通過して光検出器５７に受光される。レンズ５３には、光源３０及び光源４０の光に対して不透過の特性を持つコーティングが施される。また、角膜変形検出用の光学系は、被検眼が所定の変形状態（偏平状態）のときに光検出器５７の受光量が最大になるように配置されている。
【００４２】
また、この角膜変形検出光学系は第１作動距離検出光学系の一部を兼ねており、第１作動距離検出光学系の投光光学系は、角膜変形検出光学系の投光光学系５００ａを兼用する。光源５０による角膜Ｅｃでの反射光を受光する受光光学系６００ｂは、例えば、投光光学系５００ａのレンズ５３、ビームスプリッタ５８、集光レンズ５９、位置検出素子６０を有し、受光光軸として光軸Ｌ２を形成する。
【００４３】
光源５０より投光され、角膜Ｅｃで反射した照明光は光源５０の虚像である指標像を形成する。その指標像の光は、レンズ５３、ビームスプリッタ５５を通過してビームスプリッタ５８で反射され、集光レンズ５９を通過してＰＳＤやラインセンサ等の一次元または二次元の位置検出素子６０に入射する。位置検出素子６０は、被検眼Ｅ（角膜Ｅｃ）が作動距離方向（Ｚ方向）に移動すると、光源５０による指標像も位置検出素子６０上を移動するため、制御回路２０は位置検出素子６０からの出力信号に基づいて作動距離情報を得る。なお、本実施形態の位置検出素子６０からの出力信号は、作動距離方向（Ｚ方向）のアライメント（粗調整）に利用される。第１作動距離検出光学系の受光光学系６００ｂは後述する受光光学系７０ｂほど倍率が大きくない。そのため、位置検出素子６０のＺ方向の距離検出範囲は受光素子７７より広くなる。
【００４４】
角膜厚測定光学系は、投光光学系７０ａと、受光光学系７０ｂと、固視光学系４８と、を含み、被検眼Ｅの角膜厚を測定するために用いられる。また、投光光学系７０ａは、角膜変形検出光学系及び第１作動距離検出光学系の一部が兼用される。
【００４５】
投光光学系７０ａは、投光光軸として光軸Ｌ２を有し、眼Ｅの角膜Ｅｃに向けて斜め方向から照明光（測定光）を照射する。投光光学系７０ａは、例えば、照明光源７１、集光レンズ７２、光制限部材７３、凹レンズ７４、角膜変形検出光学系と兼用されるレンズ５３、を有する。照明光源７１には、可視光源若しくは赤外光源（近赤外を含む）が用いられ、例えば、ＬＥＤ、レーザなどの光源が用いられる。集光レンズ７２は、光源７１から出射された光を集光する。なお、光源５０及び光源７１は互いに波長帯域を用いる。
【００４６】
光制限部材７３は、投光光学系７０ａの光路に配置され、光源７１から出射された光を制限する。光制限部材７３は、角膜Ｅｃに対して略共役な位置に配置される。光制限部材７３としては、例えば、ピンホール板、スリット板などが用いられる。光制限部材７３は、光源７１から出射された一部の光を通過させ、他の光を遮断するアパーチャーとして用いられる。そして、投光光学系７０ａは、眼Ｅの角膜上において所定のパターン光束（例えば、スポット光束、スリット光束）を形成する。
【００４７】
受光光学系７０ｂは、受光素子７７を有し、眼Ｅの角膜表面及び裏面での照明光の反射光を受光する。受光光学系７０ｂは、光軸Ｌ１に関して投光光学系７０ａと略対称に配置されている。受光光学系７０ｂは、例えば、受光レンズ７５、凹レンズ７６、受光素子７７、を有し、受光光軸として光軸Ｌ３を形成する。なお、図３の受光光学系７０ｂは、眼Ｅに対するＺ方向のアライメント状態を検出する第２作動距離検出光学系を兼用する。
【００４８】
受光素子７７は、複数の光電変換素子を有し、角膜表面及び裏面からの反射光をそれぞれ受光する。受光素子７７には、例えば、一次元ラインセンサ、二次元エリアセンサなどの光検出デバイスが用いられる。角膜厚測定光学系及び第２作動距離検出光学系の受光光学系７０ｂは倍率を大きくして観察を行う。そのため、受光素子７７のＺ方向の距離検出範囲は位置検出素子６０より狭くなる。
【００４９】
被検眼Ｅ（角膜Ｅｃ）が作動距離方向（Ｚ方向）に移動すると、角膜Ｅｃでの光源７１の反射光も受光素子７７上を移動するため、制御部８０は、第２作動距離検出光学系の受光素子７７からの出力信号に基づいて作動距離情報を得る。また、制御部８０はこの受光素子７７からの出力信号により、角膜変形状態や被検眼Ｅの瞬きを知り、ソレノイド２０３の駆動を制御する。
【００５０】
照明光源７１から出射された光は、集光レンズ７２によって集光され、光制限部材７３を背後から照明する。そして、光源７１からの光は、光制限部材７３によって制限された後、レンズ５３によって角膜Ｅｃ付近で結像（集光）される。角膜Ｅｃ付近において、例えば、ピンホール像（ピンホール板を使用の場合）、スリット像（スリット板を使用の場合）が結像される。このとき、光源７１からの光は、角膜Ｅｃ上における視軸との交差部分の近傍で結像される。
【００５１】
投光光学系７０ａによって角膜Ｅｃに照明光が投光されると、角膜Ｅｃでの照明光の反射光は、光軸Ｌ１に関して投光光束とは対称な方向に進行する。そして、反射光は、受光レンズ７５によって受光素子７７上の受光面上で結像される。
【００５２】
なお、受光光学系５００ｂ、６００ｂ及び投光光学系７０ａで兼用されるレンズ５３は、光源５０による角膜Ｅｃでの反射光をピンホール板５６の穴の中央部に集光させ、かつ、光源７１からの照明光を角膜Ｅｃ表面及び裏面で集光させる位置に配置される。
【００５３】
＜顔撮影部＞
顔撮影部９０は、例えば、左右の被検眼のうち少なくとも一方を含む顔を撮影するための光学系である。例えば、図３に示すように、本実施例の顔撮影部９０は、例えば、撮像素子９１と、撮像レンズ９２を主に備える。
【００５４】
顔撮影部９０は、例えば、測定部１００が初期位置にある場合に被検眼の両眼を撮影できる位置に設けられる。本実施例において、測定部１００の初期位置は、右眼を検査し易いように測定部１００の光軸Ｌ１に対して右側にずれた位置に設定される。したがって、顔撮影部９０は、測定部１００が右側にずれた初期位置にある状態で、被検眼の両眼を撮影できる位置に設けられる。例えば、顔撮影部９０は、測定部１００が初期位置にある状態で機械中心に配置される。初期位置は、例えば、瞳孔間距離の半分、つまり片眼瞳孔間距離に基づいて設定される場合、顔撮影部９０は、装置本体の機械中心に対して片眼瞳孔間距離だけ左右にずれた位置に配置されてもよい。
【００５５】
本実施例の顔撮影部９０は、駆動部４によって測定部１００とともに移動される。もちろん、顔撮影部９０は、例えば、基台２に対して固定され、移動しない構成でもよい。
【００５６】
なお、撮像レンズ９２は、例えば、広角レンズであってもよい。広角レンズは、例えば、魚眼レンズ、円錐レンズ等である。広角レンズを備えることによって、顔撮影部９０は、広い画角で被検者の顔を撮影できる。
【００５７】
＜顔照明光学系＞
顔照明光学系９５は、被検眼の顔を照明する。顔照明光学系９５は、例えば、照明光源９６を備える。照明光源９６は、赤外光を発する。本実施例では、検眼窓の左右の位置に照明光源９６が設けられている。なお、顔照明光学系９５は、アライメント用の指標光源よりも指向性の低い光源が用いられる。
【００５８】
＜制御系＞
図２に示すように、本装置１は制御部８０を備える。制御部８０は、本装置１の各種制御を司る。制御部８０は、例えば、一般的なＣＰＵ（Central Processing Unit）８１、ＲＯＭ８２、ＲＡＭ８３等を備える。例えば、ＲＯＭ８２には、眼科装置１を制御するための眼科装置制御プログラム、初期値等が記憶されている。例えば、ＲＡＭ８３は、各種情報を一時的に記憶する。制御部８０は、測定部１００、顔撮影部９０、駆動部４、表示部８５、操作部８６、顎台駆動部３ｄ、記憶部（例えば、不揮発性メモリ）８４、アナウンス部８９等と接続されている。記憶部８４は、例えば、電源の供給が遮断されても記憶内容を保持できる非一過性の記憶媒体である。例えば、ハードディスクドライブ、着脱可能なＵＳＢフラッシュメモリ等を記憶部８４として使用することができる。
【００５９】
＜アナウンス＞
本実施例の眼科装置１は、被検者または検者に対してアナウンスを行うことができる。例えば、制御部８０は、アナウンス部８９に音声を出力させることによって音声アナウンスを行う。例えば、被検眼の測定を支援するための音声を出力する。例えば、図４に示すように、アナウンス（１）〜（１３）を行う。例えば、アナウンス（１）は、選択した言語の確認、および顔支持部３に顔を載せる指示のアナウンスであり、例えば、「音声は日本語です。装置に顔を載せ、額を当てて下さい。」と出力される。アナウンス（２）は、顔を離す指示のアナウンスであり、例えば、「装置から顔を離して下さい。」と出力される。アナウンス（３）は、顎台の駆動を知らせるアナウンスであり、例えば、「顎台が動きます。」と出力される。アナウンス（４）は、顔を支持部に載せる指示のアナウンスであり、例えば、「装置に顔を載せ、額を当てて下さい。」と出力される。アナウンス（５）は、目を大きく開けるように指示するアナウンスであり、例えば、「瞬きして、目を大きく開けて下さい。」と出力される。アナウンス（６）は、測定開始を知らせるアナウンスであり、例えば、「測定を開始します。装置に手を置かないで下さい。」と出力される。アナウンス（７）は、固視を促すアナウンスであり、例えば、「点滅している光を見て下さい。」と出力される。アナウンス（８）は、眼圧測定の開始を知らせるアナウンスであり、例えば、「風が出ます。」と出力される。もちろん、測定手法によっては、光、または超音波などが出力される旨のアナウンスであってもよい。アナウンス（９）は、測定の終了を知らせるアナウンスであり、例えば、「測定を終了しました。」と出力される。アナウンス（１０）は、初期化動作の開始を知らせるアナウンスであり、例えば、「初期化します。」と出力される。アナウンス（１１）は、装置と被検者との接触を知らせるアナウンスであり、例えば、「接触を感知しましたので測定を中断します。」と出力される。アナウンス（１２）は、測定再開のアナウンスであり、例えば、「測定を再開する場合は顎台に顎を載せて下さい。」と出力される。アナウンス（１３）は、測定エラーを知らせるためのアナウンスであり、例えば、「測定できませんでした。」と出力される。もちろん、これらのアナウンス内容は一例であり、別の言葉であってもよい。
【００６０】
本実施例の記憶部８４は、複数のアナウンスパターンを記憶する。制御部８０は、記憶部８４に記憶された複数のアナウンスパターンに応じて検査開始から検査終了までの一連のアナウンスの制御を切り替えることができる。例えば、図４に示すように、本実施例の記憶部８４には、第１パターン、第２パターン、第３パターン、第４パターンの４つのアナウンスパターンが記憶されている。各アナウンスパターンは、例えば、アナウンスの内容が異なる。例えば、第１パターンは、アナウンス（１）〜（１３）をすべて実行するパターンである。第２パターンは、アナウンス（２）〜（１１），（１３）を実行するパターンである。第３パターンは、アナウンス（２）〜（６），（９），（１０），（１３）を実行するパターンである。第４パターンは、アナウンスしないパターンである。制御部８０は、第１パターン〜第４パターンのいずれかのアナウンスパターンでアナウンスを実行することができる。例えば、制御部８０は、検者によって選択されたアナウンスパターンでアナウンスを実行する。なお、複数のアナウンス（１）〜（１３）のうち、オン（アナウンスする）とオフ（アナウンスしない）を検者などがそれぞれ選択したものをアナウンスパターンとして予め記憶部８４などに記憶させてもよい。
【００６１】
例えば、制御部８０は図５のようなパターン設定画面４００を表示させる。例えば、検者は、パターン設定画面４００で、所望のアナウンスパターンを選択する。例えば、検者によって第１パターンが選択された場合、制御部８０は第１パターンを実行する。第１パターンでは、被検者が自身で眼科装置１を操作するだけで測定できるようにアナウンスが実行される。したがって、検者が眼科装置１を操作したり、被検者を補助したりする必要がほとんどない。第２パターンおよび第３パターンでは、検者の操作または補助をある程度必要とする。第４パターンでは、検者が全ての操作および補助を行う。
【００６２】
上記のように、本実施例の眼科装置１は、アナウンスパターンを切り替えることができるため、使用環境に応じたアナウンスを行うことができる。例えば、検診施設での集団検診で用いる場合は、第１パターンに設定しておくことで、被検者が自身で測定を行うことができるため、検者が１台の装置に付きっ切りになる必要がなくなる。例えば、検者一人が複数の眼科装置１を受け持つことで、測定時間の短縮に繋がる。また、医療施設で詳細な検査を行う場合は、第２パターン、第３パターン、または第４パターンに設定することで、検者が操作する場合に不要なアナウンスを実行させないようにできる。
【００６３】
また、装置の種類または国によっては検者に資格が必要となり被検者自身で測定できない場合があるため、装置の種類、または設置される国などに応じて設定を変更することができる。
【００６４】
＜ホーム画面＞
本実施例の眼科装置１において、制御部８０は、表示部８５にホーム画面４１０（基本画面、待ち受け画面）を表示する。ホーム画面４１０は、画面遷移の基本となる画面である。例えば、ホーム画面４１０は、別の画面に遷移する前の画面である。例えば、ホーム画面４１０は、種々の画面に遷移することができる。ホーム画面４１０は、測定が開始される前に表示される画面である。例えば、ホーム画面４１０は、装置の電源を入れた後であって、測定画面３００（図６参照）の前に表示される。測定画面３００は、被検者の観察画像３０１などが表示される画面である。観察画像３０１は、例えば、顔撮影部９０によって撮影された被検者の顔画像３０１ａ、ＣＣＤカメラ３５によって撮影された前眼部画像３０１ｂなどである。制御部８０は、例えば、被検者が代わるごとに表示部８５にホーム画面４１０を表示させる。つまり、制御部８０は、測定毎にホーム画面４１０を表示させる。なお、ホーム画面４１０に観察画像３０１を表示させてもよい。
【００６５】
図７に示すように、ホーム画面４１０には、ＩＤ入力ボタン４１１、モード選択ボタン４１２、画面遷移ボタン４１３、言語選択ボタン４１４、設定ボタン４１５が表示される。ＩＤ入力ボタン４１１は患者ＩＤを入力するためのボタンである。ＩＤ入力ボタン４１１が押されると、制御部８０は、患者ＩＤを入力するための入力画面（例えば、キーボード画面など）を表示させる。モード選択ボタン４１２は、両眼測定モードまたは片眼測定モードを選択するためのボタンである。両眼測定モードが選択されると、制御部８０は、被検眼の両眼を測定する。例えば、制御部８０は、被検眼の右眼を測定した後に左眼を測定する。片眼測定モードが選択されると、制御部８０は、左右の被検眼のうち、選択された眼のみを測定し、片眼の測定が完了すると測定を終了する。
【００６６】
画面遷移ボタン４１３が押されると、制御部８０は測定画面３００に遷移させる。例えば、制御部８０は、表示部８５の表示をホーム画面４１０から測定画面３００に切り替える。言語選択ボタン４１４は、アナウンス言語を選択するためのボタンである。言語選択ボタン４１４が押されると、制御部８０は、設定可能な言語を表示させる（図８参照）。検者または被検者は、設定可能な言語のうち、所望の言語を選択する。例えば、制御部８０は、選択された言語でアナウンスを行う。例えば、被検者によって日本語が選択されると（図９参照）、制御部８０は、日本語の音声アナウンスをアナウンス部に出力させる。この場合、被検者は、音声アナウンスに従って簡単に測定を行うことができる。また、本実施例のように、最初に表示されているホーム画面４１０に言語選択ボタン４１４が表示されることによって、被検者自身が簡単に設定を変更することができる。例えば、集団検診などで様々な人種の被検者が測定を行う場合であっても、測定毎にホーム画面４１０が表示され、ホーム画面４１０上に言語選択ボタン４１４が表示されるため、被検者自身が聞き取れる言語を容易に選択することができる。したがって、わざわざ検者が被検者の使用言語を確認して設定を変更する必要がなくなる。
【００６７】
＜制御動作＞
以上のような構成を備える眼科装置１の制御動作を図１０に基づいて説明する。なお、アナウンスパターンは、第１パターンが選択されているものとする。装置１の電源が入れられると、制御部８０は、装置１を初期化する（ステップＳ１）。例えば、制御部８０は、測定部１００を初期位置に移動させる。例えば、制御部８０は、測定部１００の位置と、顎台３ｂの高さを初期位置に戻す。測定部１００の初期位置は、例えば、被検眼を少しの移動で被検眼を測定できる位置に設定される。顎台３ｂの初期位置は、例えば、平均的なアイレベルの位置に設定される。初期化が完了すると、制御部８０は、表示部８５にホーム画面４１０を表示させる（ステップＳ２）。
【００６８】
ホーム画面４１０に設けられた言語選択ボタン４１４の操作によって言語が選択されると（ステップＳ３）、制御部８０はアナウンス（１）を実行する（ステップＳ４）。例えば、「音声は日本語です。装置に顔を載せ、額を当てて下さい。」という音声がアナウンス部８９から出力される。
【００６９】
被検者は、アナウンスに従って、顔支持部３に顔を載せ、額当て３ａに額を付ける。制御部８０は、顎台センサ３ｃによって顔支持部３に顔が載せられたことを検知すると、表示部８５に測定画面３００を表示させる（ステップＳ５）。このとき、測定画面３００には、例えば、顔画像３０１ａが表示される。次いで、制御部８０は、アナウンス（５）を実行し（ステップＳ６）、例えば、「瞬きして、目を大きく開けて下さい。」という音声をアナウンス部８９に出力させる。
【００７０】
続いて、制御部８０は被検眼の検出を行う（ステップＳ７）。例えば、制御部８０は顔撮影部９０によって撮影された顔画像３０１ａから被検眼の両眼を検出する。画像から被検眼を検出する方法としては、例えば、赤外撮影による瞳孔検出、輝度値のエッジ検出等の種々の画像処理方法が挙げられる。例えば、被検者の顔を赤外撮影した場合、肌は白く写り、瞳孔は黒く写る。したがって、制御部８０は、赤外撮影によって得られた赤外画像から丸くて黒い（輝度の低い）部分を瞳孔として検出してもよい。上記のような方法を用いて、制御部８０は、顔画像３０１ａから被検眼を検出し、その２次元位置情報を取得する。
【００７１】
制御部８０は、被検眼の検出結果に基づいて顎台３ｂの高さを調整してもよい。例えば、顔画像３０１ａにおける被検眼の高さ（Ｙ座標）が所定範囲から外れている場合、制御部８０は顎台３ｂの高さを調整する。このとき、制御部８０はアナウンス（２）を実行し（ステップＳ８）、「装置から顔を離して下さい。」という音声をアナウンス部８９に出力させる。被検者は、アナウンスに従って、顔支持部３から顔を離す。顎台センサ３ｃによって顔支持部３から顔が外されたことが検知されると、制御部８０はアナウンス（３）を実行し（ステップＳ９）、「顎台が動きます。」という音声をアナウンス部８９に出力させる。そして、制御部８０は顎台３ｂの高さを調整する（ステップＳ１０）。例えば、制御部８０は顔画像３０１ａ上の被検眼の位置に基づいて算出した駆動量だけ顎台３ｂを上下に移動させる。顎台調整が完了すると、制御部８０はアナウンス（４）を実行し、「装置に顔を載せ、額を当てて下さい。」という音声をアナウンス部８９に出力させる（ステップＳ１１）。なお、駆動量が小さい場合は、アナウンス（２）を省略してもよい。
【００７２】
制御部８０は眼検出の結果、顎台の調整が不要であると判定した場合、アナウンス（６）を実行し（ステップＳ１２）、「測定を開始します。装置に手を置かないで下さい。」という音声をアナウンス部８９から出力させる。そして、制御部８０は測定部１００のアライメントを行う（ステップＳ１３）。例えば、制御部８０は顔画像３０１ａにおいて被検眼が検出された方向に測定部１００を移動させる。例えば、制御部８０は観察光学系によって撮影される前眼部画像３０１ｂに被検眼が写るまで測定部１００を眼が検出された方向に移動させる。前眼部画像３０１ｂに被検眼が写ると、前眼部画像３０１ｂに写る輝点に基づいて測定部１００のアライメントを行う。このとき、制御部８０は、測定画面３００の観察画像３０１を顔画像３０１ａから前眼部画像３０１ｂに切り替える。
【００７３】
アライメントが完了すると、制御部８０はアナウンス（７）を実行し、「点滅している光を見て下さい。」という音声をアナウンス部８９に出力させる（ステップＳ１４）。そして制御部８０は、角膜厚測定光学系によって被検眼の角膜厚を測定する（ステップＳ１５）。制御部８０は、受光素子によって検出された角膜前面での反射信号と角膜裏面での反射信号との距離（ピーク間距離）を算出する。
【００７４】
角膜厚の測定が完了すると、制御部８０はアナウンス（８）を実行し（ステップＳ１６）、「風が出ます。」という音声をアナウンス部８９から出力させる。その後、制御部８０は眼圧を測定する（ステップＳ１７）。例えば、制御部８０はソレノイド２０３を駆動させてピストン２０２を移動させると、シリンダ２０１内の空気が圧縮され、圧縮空気がノズル２０６から角膜Ｅｃに向けて吹き付けられる。角膜Ｅｃは、圧縮空気の吹き付けにより徐々に変形し、扁平状態に達したときに光検出器５７に最大光量が入射される。制御部８０は、圧力センサ２１２からの出力信号と光検出器５７からの出力信号とに基づき眼圧値を求める。そして、測定結果を表示部８５に表示する。ここで、所定の測定終了条件が満たされると、被検眼の眼圧測定を完了とする。
【００７５】
なお、測定中に瞬き（瞼）を検出した場合に「目を大きく開けて下さい。」等のアナウンスを行ってもよい。例えば、制御部８０は、顔画像または前眼部画像に基づいて瞬きを検出し、アナウンスを行ってもよい。
【００７６】
両眼測定モードの場合、制御部８０は、測定していない方の眼に測定部１００を移動させる（ステップＳ１８）。例えば、右眼の測定を行った場合、測定部１００が左眼の前方に配置されるように移動させる。その後、ステップＳ１３〜Ｓ１７に基づいて左眼の眼圧を測定する。
【００７７】
測定が完了すると、制御部８０は、アナウンス（９）を実行し（ステップＳ１９）は、「測定を終了しました。」という音声をアナウンス部８９から出力させる。そして制御部８０は、測定結果のデータを出力する（ステップＳ２０）。例えば、制御部８０は、測定結果を表示部８５に表示させたり、プリントアウトしたり、無線または有線で装置外部に出力したりする。
【００７８】
制御部８０はアナウンス（１０）を実行し（ステップＳ２１）、「初期化します。」という音声をアナウンス部８９に出力させる。そして、制御部８０は初期化を行い（ステップＳ１）、表示部８５にホーム画面４１０を表示させ（ステップＳ２）、次の被検者が来るまで待機する。
【００７９】
なお、ステップＳ１３〜ステップＳ１７の間に、接触センサ２５１によってノズルホルダー２０７が被検者に接触したことを検知した場合（ステップＳ２２）、制御部８０は測定部１００の動作を停止させる（ステップＳ２３）。このとき、制御部８０は測定部１００を被検者と反対側に移動させてもよい。制御部８０はアナウンス（１１）を実行し（ステップＳ２４）、「接触を感知しましたので測定を中断します。」という音声をアナウンス部８９に出力させる。制御部８０は測定部１００の位置を初期位置に戻し（ステップＳ２５）、アナウンス（２）を実行する（ステップＳ２６）。その後、制御部８０はアナウンス（１２）を実行し（ステップＳ２７）、「測定を再開する場合は顎台に顎を載せて下さい。」という音声をアナウンス部８９に出力させる。顎台センサ３ｃからの入力があった場合、ステップＳ６に戻って再度測定を開始する。アナウンス（１２）を実行してからしばらく時間が経過しても顎台センサ３ｃからの入力がなかった場合、制御部８０はアナウンス（１３）を実行し（ステップＳ２８）、「測定できませんでした。」という音声をアナウンス部８９に出力させる。制御部８０はステップＳ２０に進み、測定結果がある場合データを出力する。
【００８０】
なお、以上の例は、アナウンスパターンとして第１パターンが選択されたときの場合である。したがって、その他の音声パターンが選択されている場合、一部のアナウンスが省略される。例えば、第３パターンが選択されている場合、アナウンス（１），（７），（８），（１１），（１２）が省略される。これによって、アナウンスの回数が減り、全体の測定時間が短くなる。検者は、必要に応じて被検者に口頭で指示すればよい。
【００８１】
なお、以上の実施例において、制御部８０はアナウンス部８９による音声アナウンスを実行したが、これに限らない。例えば、制御部８０は表示部８５にメッセージを表示させることによってアナウンスしてもよい。
【００８２】
なお、ホーム画面４１０に、顔支持部３へ顔を載せる場合のイメージ図と注意事項を表示させてもよい。例えば、図１１に示すように、制御部８０は、表示部８５に眼科装置１と被検者の顔のイメージ図４２０を表示し、額当て３ａおよび顎台３ｂにしっかり顔を付ける旨の注意事項４２１を表示させる。これによって、被検者は、最初に表示されているホーム画面４１０のイメージ図４２０と注意事項４２１を確認することで、顔支持部３に顔を正しく載せることができる。また、図１２に示すように、顔を載せた後に、眼を大きく開くイメージ図４２２を表示させてもよい。イメージ図４２２を見た被検者が眼を大きく開くことによって、測定エラーとなることを抑制できる。また、図１３に示すように、眼科装置１に手または指を置かないようにする注意事項４２４またはイメージ図４２３を表示させてもよい。なお、イメージ図は動画であってもよい。また、指示は、メッセージ表示ではなく、音声アナウンスであってもよい。
【符号の説明】
【００８３】
１  眼科装置
２  基台
３  顔支持部
４  駆動部
８０  制御部
８９  アナウンス部
１００  測定部
４１０  ホーム画面
【図１】
2020199227.tif 000003
【図２】
2020199227.tif 000004
【図３】
2020199227.tif 000005
【図４】
2020199227.tif 000006
【図５】
2020199227.tif 000007
【図６】
2020199227.tif 000008
【図７】
2020199227.tif 000009
【図８】
2020199227.tif 000010
【図９】
2020199227.tif 000011
【図１０】
2020199227.tif 000012
【図１１】
2020199227.tif 000013
【図１２】
2020199227.tif 000014
【図１３】
2020199227.tif 000015